(57)【要約】【課題】主回路の遮断原因を識別することができる漏電遮断器を提供する。【解決手段】漏電遮断器１は樹脂製のケース２内に漏電引き外し装置１０と過電流引き外し装置１１とを備え、漏電引き外し装置１０の遮断動作に連動してケース２の前面から漏電表示ボタン１４を突出させて表示を行う漏電表示装置１２と、過電流引き外し装置１１の遮断動作に連動してケース２の前面から過電流表示ボタン２０を突出させて表示を行う過電流表示装置１３とを備えている。【選択図】        図１
2004342538.tif 000002
【特許請求の範囲】
【請求項１】
主回路の漏電を検出して遮断動作を行う漏電引き外し装置と、前記主回路の過電流を検出して遮断動作を行う過電流引き外し装置とを備えた漏電遮断器において、前記漏電引き外し装置の遮断動作に連動して表示を行う漏電表示装置と、前記過電流引き外し装置の遮断動作に連動して表示を行う過電流表示装置とを備えたことを特徴とする漏電遮断器。
【発明の詳細な説明】
【０００１】
【発明の属する技術分野】
本発明は、主回路の漏電や過電流を検出して遮断する漏電遮断器に関する。
【０００２】
【従来の技術】
従来、漏電遮断器は漏電引き外し装置と過電流引き外し装置とを備え、これらの漏電引き外し装置又は過電流引き外し装置が主回路の漏電又は過電流を検知すると作動して主回路を遮断するとともに、漏電引き外し装置が作動した場合には操作ハンドルが設けられているケースの前面から漏電表示ボタンを突出させて漏電が発生したことを表示していた（例えば、特許文献１参照。）。
【０００３】
【特許文献１】
特開平１０−４０８００号公報（第３頁、第４図）
【０００４】
【発明が解決しようとする課題】
しかしながら、従来の漏電遮断器は漏電表示ボタンが突出せずに操作ハンドルがオフしている場合、過電流によってオフしたのか手動によりオフしたのかがわからないという欠点があった。
【０００５】
そこで上記問題点に鑑み、本発明の目的は、主回路の遮断原因を識別することができる漏電遮断器を提供することである。
【０００６】
【課題を解決するための手段】
上記目的を達成するために、主回路の漏電を検出して遮断動作を行う漏電引き外し装置と、主回路の過電流を検出して遮断動作を行う過電流引き外し装置とを備えた漏電遮断器において、漏電引き外し装置の遮断動作に連動して表示を行う漏電表示装置と、過電流引き外し装置の遮断動作に連動して表示を行う過電流表示装置とを備えたことを特徴とする。
【０００７】
【発明の実施の形態】
漏電遮断器は漏電引き外し装置と過電流引き外し装置とを備え、漏電引き外し装置の遮断動作に連動してケースの前面から漏電表示ボタンを突出させて表示を行う漏電表示装置と、過電流引き外し装置の遮断動作に連動してケースの前面から過電流表示ボタンを突出させて表示を行う過電流表示装置とを備えている。
【０００８】
【実施例】
本発明に係る漏電遮断器の実施例を図１〜図４の添付図面に基づいて説明する。
【０００９】
図１に示すように、漏電遮断器１は樹脂製のケース２内に、ケース２の一端側に設けられた電源側端子３と、ケース２の他端側に設けられた負荷側端子４と、電源側端子３と負荷側端子間４を電気的に接続する主回路５と、主回路５に介在された開閉接点６と、開閉接点６を接離させる開閉機構７と、開閉機構７を手動で操作するためにケース２の前面から突出して設けられた操作ハンドル８と、主回路５を貫通させた零相変流器９と、零相変流器９の出力電流から漏電を検出して開閉機構７を作動させる漏電引き外し装置１０と、主回路５に介在されて過電流を検出して開閉機構７を作動させる過電流引き外し装置１１と、漏電引き外し装置１０の遮断動作に連動して表示を行う漏電表示装置１２と、過電流引き外し装置１１の遮断動作に連動して表示を行う過電流表示装置１３とを備えて成っている。
【００１０】
図２に示すように、漏電表示装置１２は漏電表示ボタン１４とコイルバネ１５とで構成し、漏電表示ボタン１４はケース２の前面に穿設した表示用孔から出没自在に設けられ、コイルバネ１５は漏電表示ボタン１４の下部に配設されて漏電表示ボタン１４をケース２の前面から突出する方向に付勢している。漏電表示ボタン１４は下部に形成された係合孔１４ａに漏電引き外し装置１０のプランジャー１６が挿通して係合している。漏電引き外し装置１０は電磁コイル１７と、電磁コイル１７に挿通するプランジャー１６と、プランジャー１６を電磁コイル１７から引き出す方向に付勢するバネ１８と、零相変流器９の検出電流により漏電かどうかを判定して漏電時に電磁コイル１７を励磁駆動させる漏電検出回路を実装した基板１９とで構成し、プランジャー１６は電磁コイル１７から突出した部分の先端に形成されて開閉機構７の第１掛止片７ａに引っ掛けられる鉤状部１６ａと、突出した部分に形成された高さ寸法が小さい肉薄部１６ｂと、電磁コイル１７内に挿通する部分に形成された高さ寸法が大きい肉厚部１６ｃとで形成されている。通常時、漏電表示ボタン１４の係合孔１４ａはプランジャー１６の肉厚部１６ｂに係合してケース２から突出していない状態に保持されている。
【００１１】
主回路５に漏電が発生すると、漏電引き外し装置１０の漏電検出回路が信号を出力して電磁コイル１７のスイッチをオンし、電磁コイル１７が励磁駆動してプランジャー１６が電磁コイル１７内に吸引され、プランジャー１６の鉤状部１６ａが開閉機構７の第１掛止片７ａを動作させ、開閉機構７が作動して主回路５の開閉接点６を開離させ主回路５を遮断する。また、プランジャー１６が電磁コイル１７内に吸引されることにより、プランジャー１６と漏電表示ボタン１４の係合孔１４ａとの係合位置が肉厚部１６ｃから肉薄部１６ｂに移動し、漏電表示ボタン１４はコイルバネ１５の力によってケース２から先端部を突出させて漏電が発生したことを表示する。尚、漏電表示ボタン１４の突出量はプランジャー１６の肉厚部１６ｃと肉薄部１６ｂの段差分である。
【００１２】
漏電表示ボタン１４を再びセットするには漏電表示ボタン１４を指で押し込み、バネ１８の力によって電磁コイル１７から引き出されたプランジャー１６の肉厚部１６ｃに漏電表示ボタン１４の係合孔１４ａが係止することにより行う。
【００１３】
また、図３に示すように、過電流表示装置１３は、過電流表示ボタン２０とコイルバネ２１と係合片２２とバネ２３で構成し、過電流表示ボタン２０はケース２の前面に穿設した表示用孔から出没自在に設けられ、コイルバネ２１は過電流表示ボタン２０の下部に配設されて過電流表示ボタン２０をケース２の前面から突出する方向に付勢している。係合片２２は過電流表示ボタン２０は下部に形成された係合孔２０ａに挿通して係合し、バネ２３は係合片２２を過電流引き外し装置方向に付勢している。係合片２２は鉤状に形成された鉤状部２２ａと、鉤状部２２ａに連続して形成された高さ寸法が小さい肉薄部２２ｂと、肉薄部２２ｂに連続して形成された高さ寸法が大きい肉厚部２２ｃとで形成されている。通常時、過電流表示ボタン２０の係合孔２０ａは係合片２２の肉厚部２２ｃに係合してケース２から突出していない状態に保持されている。
【００１４】
主回路５に過電流が発生すると、過電流引き外し装置１１の電磁コイル２４が励磁駆動して継鉄２５に回動可能に軸支された電磁片２６の一端が電磁コイル２４に吸引され、電磁片２６の他端が開閉機構７の第２掛止片７ｂを押して動作させ、開閉機構７が作動して主回路５の開閉接点６を開離させ主回路５を遮断する。また、第２掛止片７ｂが過電流表示装置１３の係合片２２を押すことにより、係合片２２が移動して過電流表示ボタン２０の係合孔２０ａとの係合位置が肉厚部２２ｃから肉薄部２２ｂに移動し、過電流表示ボタン２０はコイルバネ２１の力によってケース２から先端部を突出させて過電流が発生したことを表示する。尚、過電流表示ボタン２０の突出量は係合片２２の肉厚部２２ｃと肉薄部２２ｂの段差分である。
【００１５】
過電流引き外し装置１１は各極に設けられるが、何れの過電流引き外し装置１１が動作しても開閉機構７を作動させるように第２掛止片７ｂは各極の過電流引き外し装置１１の電磁片２６に亘るように配設されている。ここで第２掛止片７ｂは第１掛止片７ａと同じ機能を果たすため、構造上、第２掛止片７ｂと第１掛止片７ａは当接するように配設されるが、第２掛止片７ｂの端部は漏電引き外し装置１０のプランジャー１６に掛止しない長さに形成されている。また、第２掛止片７ｂが移動する際は図１で上方向に移動するので第１掛止片７ａが連動するようになっているが、第１掛止片７ａが移動する際は第２掛止片７ｂは連動しないように配設されている。このため、第２掛止片７ｂが移動して第１掛止片７ａが連動しても漏電引き外し装置１０のプランジャー１６は動作しないので、過電流表示装置１３は作動するが漏電表示装置１２は作動せず、また、漏電引き外し装置１０のプランジャー１６が動作して第１掛止片７ａが移動しても第２掛止片７ｂは移動しないので、漏電表示装置１２は作動するが過電流表示装置１３は作動しない。
【００１６】
過電流表示ボタン２０を再びセットするには過電流表示ボタン２０を指で押し込み、バネ２３の力によって係合片２２を過電流引き外し装置１１側に移動させ、係合片２２の肉厚部２２ｃに過電流表示ボタン２０の係合孔２０ａが係止することにより行う。
【００１７】
操作ハンドル８を手動でオフした場合、漏電引き外し装置１０のプランジャー１６は移動しないので漏電表示ボタン１４は表示をしないし、第２掛止片７ｂも移動しないため、過電流表示ボタン２０は表示をしない。
【００１８】
このため、漏電遮断器１の操作ハンドル８がオフの際に、過電流表示ボタン２０が突出している場合は主回路５が過電流により遮断したことがわかり、漏電表示ボタン１４が突出している場合は主回路５が漏電により遮断したことがわかり、過電流表示ボタン２０及び漏電表示ボタン１４の両方が突出していない場合は手動により遮断したことがわかる。
【００１９】
図４において、過電流表示ボタン２０の下側に設けられたボタン２７は過電流引き外し装置１１の電磁片２６を強制的に動作させて過電流表示装置１３が正常に機能するかどうかをテストするためのテストボタンであり、漏電表示ボタン１４の上側に設けられたボタン２８は零相変流器９に疑似漏洩電流を流し、漏電を擬似的に発生させて漏電引き外し装置１０及び漏電表示装置１２が正常に機能するかどうかをテストするためのテストボタンである。
【００２０】
尚、本実施例においては２極の漏電遮断器を用いたが、同様の構造により３極の漏電遮断器に用いることもできる。また、漏電表示ボタン１４及び過電流表示ボタン２０のリセットを手動で行うようにしたが、開閉機構７を構成する部材のうちで上下方向に移動する部分、例えば、開閉接点６が設けられる可動接触子を上下動させるためのクロスバー等に引っ掛けられるようにして操作ハンドル８のオン操作によってリセットできるようにしても良い。また、漏電表示装置、過電流表示装置、漏電引き外し装置、及び過電流引き外し装置等の構造について特に限定はなく、本発明の趣旨を逸脱しない範囲で適宜変更可能である。
【００２１】
【発明の効果】
以上説明したように主回路の漏電を検出して遮断動作を行う漏電引き外し装置と、主回路の過電流を検出して遮断動作を行う過電流引き外し装置とを備えた漏電遮断器において、漏電引き外し装置の遮断動作に連動して表示を行う漏電表示装置と、過電流引き外し装置の遮断動作に連動して表示を行う過電流表示装置とを備えたことにより、主回路が漏電により遮断したのか、過電流により遮断したのか、或いは手動により遮断したのか、遮断原因を識別することができるという効果がある。
【図面の簡単な説明】
【図１】本発明に係る漏電遮断器の内部構造を示す正面図である。
【図２】本発明に係る漏電遮断器の内部構造を示す右側面図である。
【図３】本発明に係る漏電遮断器の内部構造を示す左側面図である。
【図４】本発明に係る漏電遮断器の正面図である。
【符号の説明】
１…漏電遮断器
５…主回路
７…開閉機構
７ａ…第１掛止片
７ｂ…第２掛止片
１０…漏電引き外し装置
１１…過電流引き外し装置
１２…漏電表示装置
１３…過電流表示装置
１４…漏電表示ボタン
２０…過電流表示ボタン
【図１】
2004342538.tif 000003
【図２】
2004342538.tif 000004
【図３】
2004342538.tif 000005
【図４】
2004342538.tif 000006